(57)【要約】【課題】掛金装置の作動を円滑にする。【解決手段】先端にストライクのバーに係合する鉤状部１５を、中段部に細長い連結部１１を夫々一体的に突設した第１及び第２のフック６、７の基端部を、夫々回動可能に、かつ門扉の移動方向である前後方向に遊動可能に支承し、これらを連動して回動するように連結すると共に、鉤状部１５を閉じる方向に付勢し、また、常態においてリトラクター２３を連結部１１の後端縁に当接させる。【選択図】　図６
2004019291.tif 000002
【特許請求の範囲】
【請求項１】
門扉及び門柱の一方に取り付けられるラッチ部と、他方に取り付けられ、水平なバーを備えたストライク部とからなり、ラッチ部のフックをストライク部のバーに掛け外しできるようにしたものにおいて、先端にストライクのバーに係合する鉤状部を、中段部に細長い連結部を夫々一体的に突設した第１及び第２のフックの基端部を、夫々回動可能に、かつ門扉の移動方向である前後方向に遊動可能に支承すると共に、鉤状部の先端を相互に対向させて外縁がＶ字形を形成するようにし、一方、一対のフックの一方の連結部に長孔を形成し、他方の連結部の先端部にピンを植設して、これらピンと長孔との係合を介して相互に連動して開閉するように連結すると共に、鉤状部が閉じる方向に付勢し、他方、常態においてリトラクターを連結部の後端縁に当接させたことを特徴とする門扉の掛金装置。
【請求項２】
門扉及び門柱の一方に取り付けられるラッチ部と、他方に取り付けられ、水平なバーを備えたストライク部とからなり、ラッチ部のフックをストライク部のバーに掛け外しできるようにしたものにおいて、先端にストライクのバーに係合する鉤状部を、中段部に細長い連結部を夫々一体的に突設した第１及び第２のフックの基端部を、夫々回動可能に、かつ門扉の移動方向である前後方向に遊動可能に支承すると共に、鉤状部の先端を相互に対向させて外縁がＶ字形を形成するようにし、一方、一対のフックの一方の連結部の先端部にピンを植設し、他方の連結部をこのピンの後方から係合可能に臨ませ、これらピンと他方の連結部との係合を介して他方の連結部からピンを駆動できるように連結すると共に、鉤状部が閉じる方向に付勢し、他方、常態においてリトラクターを連結部の後端縁に当接させたことを特徴とする門扉の掛金装置。
【発明の詳細な説明】
【０００１】
【発明の属する技術分野】
この発明は、伸縮させて開け閉めを行うアコーデオン扉等の門扉に取り付けられる掛金装置に係り、特に、作動を円滑にした掛金装置に関する。
【０００２】
【従来の技術】
本出願人は、先に、登録新案第２，１２６，８２２号を以て、新規な門扉の掛金装置及びそのロック装置を提案した。
【０００３】
この掛金装置は、図１及び図２に示すように、門扉１及び門柱２の何れか一方（図示の実施例では門扉１）に取り付けられるラッチ部３と、他方に取り付けられ、水平なバー４（図２参照）を備えたストライク部５とからなる。
【０００４】
そして、上記ラッチ部３は、図２に示すように、第１及び第２の一対のフック６、７を備え、これらはストライクのバー４に係合する鉤状部を夫々有する。
【０００５】
また、これら第１及び第２フック６、７の先端の鉤状部は、先端を相互に対向させて外縁がＶ字形を形成するようにすると共に、第１フック６の中段部に鉤状部とほぼ平行にかつ一体に突設された細長い第１連結部８に開口した長孔９と、第２フック７の中段部において第１連結部８と対称的に突設された第２連結部１１の先端に植設されたピン１２とを相互に係合させてある。
【０００６】
更にまた、第１及び第２フック６、７は各基端を支軸１３によって回動自在に支承されると共に、基端部に巻装されたねじりコイルばねとしてのフックばね１４の弾力により、鉤状部の先端が相互に近接して閉じる方向に付勢されている。
【０００７】
上記のように構成された従来の掛金装置は、門扉が閉じるとき、バー４とフック６、７との係合によって生じる楔作用により、図２において鎖線で示すように、フック６、７の先端部が拡開してバー４がフックの鉤状部を通過し、その後フックばね１４の弾力によってフックが閉じるので、バー４が自動的にフックに掴持されて門扉１が門柱に係止される。
【０００８】
【発明が解決しようとする課題】
上記の従来の掛金装置は、勿論その機能を確実に発揮して実用されているが、例えば長孔９とピン１２との摺接部分に摩擦抵抗が生じるので、特に長期間の使用後は可動部の動きが渋くなり、門扉を勢いよく門柱に衝突させないと掛金装置が作動しない、等未だ改良の余地がある。
【０００９】
そこで、この発明は、上記した従来の掛金装置の機構を改良し、長期間にわたって作動が円滑な掛金装置を提供することを目的としている。
【００１０】
【課題を解決するための手段】
上記の目的を達成するため、請求項１に記載の発明は、門扉及び門柱の一方に取り付けられるラッチ部と、他方に取り付けられ、水平なバーを備えたストライク部とからなり、ラッチ部のフックをストライク部のバーに掛け外しできるようにしたものにおいて、先端にストライクのバーに係合する鉤状部を、中段部に細長い連結部を夫々一体的に突設した第１及び第２のフックの基端部を、夫々回動可能に、かつ門扉の移動方向である前後方向に遊動可能に支承すると共に、鉤状部の先端を相互に対向させて外縁がＶ字形を形成するようにし、一方、一対のフックの一方の連結部に長孔を形成し、他方の連結部の先端部にピンを植設して、これらピンと長孔との係合を介して相互に連動して開閉するように連結すると共に、鉤状部が閉じる方向に付勢し、他方、常態においてリトラクターを連結部の後端縁に当接させたことを特徴とする。
【００１１】
また、請求項２に記載の発明は、門扉及び門柱の一方に取り付けられるラッチ部と、他方に取り付けられ、水平なバーを備えたストライク部とからなり、ラッチ部のフックをストライク部のバーに掛け外しできるようにしたものにおいて、先端にストライクのバーに係合する鉤状部を、中段部に細長い連結部を夫々一体的に突設した第１及び第２のフックの基端部を、夫々回動可能に、かつ門扉の移動方向である前後方向に遊動可能に支承すると共に、鉤状部の先端を相互に対向させて外縁がＶ字形を形成するようにし、一方、一対のフックの一方の連結部の先端部にピンを植設し、他方の連結部をこのピンの後方から係合可能に臨ませ、これらピンと他方の連結部との係合を介して他方の連結部からピンを駆動できるように連結すると共に、鉤状部が閉じる方向に付勢し、他方、常態においてリトラクターを連結部の後端縁に当接させたことを特徴とする。
【００１２】
【実施例】
以下、この発明の実施例を図３乃至図１０を参照して説明する。
図３及び図４において符号６は第１フックの全体を示し、この第１フック６は、先端（図４で左端）に鉤状部１５を、中段部に細長い第１連結部を夫々同方向に延伸させて一体に突設し、基端（右端）に門扉の移動方向である前後方向（左右方向）に長い支承孔を開口させた板状体である。
【００１３】
図３に示すように、鉤状部１５と第１連結部８とは厚さ方向においてずれているが、これは図４に示す第１フックとほぼ上下対称に成形された図示しない第２フックと重合したとき、鉤状部１５が厚さ方向で食い違わないようにするためである。
【００１４】
また、図４に示すように、第１連結部８には、その長さ方向に沿って、前記長孔９が開口していることは前記従来の掛金装置と同様である。
【００１５】
一方、図示しない第２フック７は第１フックとほぼ対称的に成形されており、その第２連結部１１の先端部の第１連結部８と対向する側には、上記長孔９と摺動可能に係合するピン１２（図２参照）が突設されていることも前記従来の掛金装置と同様である。
【００１６】
本発明におけるフックの連結部の特徴的な構成は、図４に示すように、第１連結部８の後端縁中央部が少し膨らんで当接部１７が形成されていることで、この構成は第２連結部１１も同様である。
【００１７】
なお、図４において符号１８はばね掛け部を示し、図示の実施例では、このばね掛け部１８はフックの外縁を少し切り欠くことによって形成されている。
【００１８】
上記のように構成された第１フック６は、図６に示すように、第２フック７と重合し、その支承孔１７を支軸１３に遊嵌させた状態で、錠箱１９内に装着される。
【００１９】
なお、第１及び第２フック６、７共、図５及び図６に示すように、その先端部を錠箱のフロント板２１に開口した細長いスリット２２を通して外側に突出させており、このスリット２２との係合により、第１及び第２フック６、７は厚さ方向のがたを規制されている。
【００２０】
そして、錠箱外に突出した第１及び第２フック６、７の先端鉤状部の外縁は、横向きＶ字形になることは従来の掛金装置と同様である。
【００２１】
また、第１及び第２フック６、７は、夫々支軸１３に巻装されたねじりコイルばねとしての前記フックばね１４の弾力により、先端の鉤状部１５、１５が相互に近接して閉じる方向に付勢されている。
【００２２】
更にまた、図６に示すように、錠箱１９の中央部で支軸１３、１３の間にはリトラクター２３が配設されている。
【００２３】
このリトラクター２３は、その上端を貫通する角軸を介して、レバーハンドル等の図示しない外部操作部材に連結され、この外部操作部材を操作することにより、リトラクター２３の図６における下端部を例えば時計方向に回動させることができる。
【００２４】
そして、常態、すなわちフック６、７やリトラクター２３に外力が作用しないときには、フック連結部の前記当接部１７がリトラクター１７の側端縁に当接するように各部の形状寸法が設定されている。
【００２５】
なお、図６において符号２４はロックレバーを示し、このロックレバー２４は図示しない角軸を介して錠箱外に突出する図示しないロック摘みなどに連結されており、このロック摘みを回すことにより、例えばその先端を第１フック６の基端部に衝接させてこの掛金装置を施錠する。
【００２６】
上記のように構成された請求項１に記載の発明の一実施例による掛金装置は、施錠時には、図６に示すように、ロックレバー２４が第１フック６の基端部に衝接しており、そのため第１フック６は反時計方向の回動、すなわち掛金が開く方向の回動を阻止され、第２フック７も連動して回動を阻止されるので、この掛金装置はそのフック６、７を開くことができない。
【００２７】
一方、図示しないロック摘みを回してロックレバー２４を反時計方向に回せば、図７に示すように、ロックレバー２４の先端が第１フック６から離間してフック６、７が拡開可能になり、したがってこの掛金装置が解錠される。
【００２８】
図７に示す解錠状態では、例えば第１フック６に注目すると、その第１連結部の当接部１７をリトラクター２３に当接させた状態でフックばね１４により時計方向に付勢されているから、その付勢力の前後方向の分力が第１フック６を前方に付勢している。
【００２９】
従ってその支軸１３は第１フック６の支承孔１６（図４参照）の後端の開口端縁と当接している。換言すれば、第１フック６はその当接部とリトラクター２３との接点を中心にして時計方向に付勢されており、支軸１３がストッパーとなって第１フック６を図７に示す角度位置に係止しているのである。この事情は第２フック７においても同様である。
【００３０】
閉扉のため門扉を門柱方向に移動させると、図８に示すように、前記ストライク部５のバー４がフックの鉤状部のＶ字形の外縁に当接するに至る。
【００３１】
すると、各フックの連結部における当接部１７の形状にもよるが、図８に示す実施例においては、バー４と鉤状部１５の外縁との係合によって、第２フック７の当接部１７とリトラクター２３との接触点を中心にして、支承孔１６の前方の開口端縁が支軸１３に接触するまで、第２フック７がフックばね１４の弾力に抗して時計方向に回動（遊動）する。
【００３２】
同時に、第２フックのピン１２が第１フック６を反時計方向に駆動するが、この場合第１フック６はその支軸１３の回りを回動する。
【００３３】
すなわち、請求項１に記載の発明による掛金装置においては、前記した従来の掛金装置とは異なり、Ｖ字形のフックの外縁とバー４との係合によって生じる楔作用によってフックが拡開を始めるのではなく、一方のフックの当接部１７とリトラクター２３との接触点を中心とする回動によってフックが拡開を始めるから、必ず摩擦を生じる楔作用を利用せず、拡開が僅かの力で始りしかも円滑である。
【００３４】
そして、一旦フック６、７の拡開が始ると、以降フック６（７）の外縁とバー４との係合によって生じる楔作用により各フックは支軸１３の回りを回動し、バー４が鉤状部を通過した後はフックばね１４の弾力によって閉じ、自動的にバー４を掴持するのは従来の掛金装置と同様である。
【００３５】
門柱に係止されていた門扉を再び開けるには、図示しないレバーハンドル等の外部操作部材を回してリトラクター２３を回動させる。
【００３６】
すると、図９に示すように、リトラクター２３が例えば時計方向に回動し、その先端が第１フックの第１連結部８を前方に押動するので、第１フック６はその支軸１３の回りを一定角度反時計方向に回動する。
【００３７】
この第１フック６の回動はピン１２を介して第２フック７に伝達され、第２フック７はその支軸１３の回りを一定角度時計方向に回動するので、結局フックの鉤状部１５は図９に示すように対称的に拡開し、掴持していたバー４を解放して門扉が開放可能になる。
【００３８】
図１０は請求項２に記載の発明の一実施例による掛金装置を示し、この実施例は、第１連結部の長孔９を廃し、換言すれば、第１及び第２連結部８、１１を確動的に連結するのではなく、第１連結部８を単にアーム状に形成してこれをピン１２に後方から臨ませたものである。
【００３９】
このようにすると、ピン１２と長孔９との摺接が無くなるので、その分摩擦抵抗が減少して掛金の作動が円滑になるという利点が生じる。
【００４０】
但し、この実施例では、ロックレバー１７を第２フック７側に設けるものとする。それは、ロックレバー１７を第１フック側に設けると、第２フックがロックされないことになるからである（図８参照）。
【００４１】
【発明の効果】
以上の説明から明らかなように、この発明は、先端にストライクのバーに係合する鉤状部を、中段部に細長い連結部を夫々一体的に突設した第１及び第２のフックの基端部を、夫々回動可能に、かつ門扉の移動方向である前後方向に遊動可能に支承し、これらを連動して回動するように連結すると共に、鉤状部を閉じる方向に付勢し、また、常態においてリトラクターを連結部の後端縁に当接させるようにしたので、鉤状部の外縁とバーとが当接する初期においてはフックの当接部とリトラクターとの接触点を中心にして回動でき、フックの開き始めの作動が極めて円滑になる、という所期の効果を奏する。
【００４２】
また、上記した効果を得るため、各フックの支軸との支承孔を単に長穴にすればよいので、構成が非常に簡単である、等種々の効果を奏する。
【図面の簡単な説明】
【図１】アコーデオン扉の概要を示す側面図。
【図２】従来の掛金装置の実施例を門扉の開放状態で示す縦断側面図。
【図３】請求項１に記載の発明の一実施例による第１フックの正面図。
【図４】その側面図。
【図５】請求項１に記載の発明の一実施例による掛金装置の正面図。
【図６】請求項１に記載の発明の一実施例による掛金装置の一部断面側面図で施錠状態を示す。
【図７】請求項１に記載の発明の一実施例による掛金装置の一部断面側面図で解錠状態を示す。
【図８】請求項１に記載の発明の一実施例による掛金装置の一部断面側面図でフックとバーの当接の初期の状態を示す。
【図９】請求項１に記載の発明の一実施例による掛金装置の一部断面側面図でリトラクターを作動させた状態を示す。
【図１０】請求項２に記載の発明の一実施例による掛金装置の一部断面側面図でリトラクターを作動させた状態を示す。
【符号の説明】
１　門扉
２　門柱
３　ラッチ部
４　バー
５　ストライク部
６　第１フック
７　第２フック
８　第１連結部
９　長孔
１１　第２連結部
１２　ピン
１３　支軸
１４　フックばね
１５　鉤状部
１６　支承孔
１７　当接部
１９　　錠箱
２１　フロント板
２２　スリット
２３　リトラクター
２４　ロックレバー
【図１】
2004019291.tif 000003
【図２】
2004019291.tif 000004
【図３】
2004019291.tif 000005
【図４】
2004019291.tif 000006
【図５】
2004019291.tif 000007
【図６】
2004019291.tif 000008
【図７】
2004019291.tif 000009
【図８】
2004019291.tif 000010
【図９】
2004019291.tif 000011
【図１０】
2004019291.tif 000012